(57)【要約】【課題】  複数の携帯端末を利用する際に、各携帯端末には画像の一部分ずつを最初に表示させ、各携帯端末間で所定の操作を行うことにより、自らの携帯端末の画面において隠蔽されている部分について表示される、携帯端末の画像表示方法等を提供することを目的とする。【解決手段】  管理サーバは、画像情報を選択しそれを二以上の領域に分割して、各携帯端末で最初に表示可能とする領域を割り当て、各携帯端末に、分割した画像情報等を送信し、各携帯端末は、管理サーバから受信した画像情報等に基づいて、割り当てられた領域の画像情報のみを表示し、それ以外の領域は隠蔽状態とし、第１の携帯端末は、第２の携帯端末に最初に割り当てられた領域の情報を第２の携帯端末から受信することで、受信した領域の画像情報も表示し、第１の携帯端末に最初に割り当てられた領域の情報を第２の携帯端末に送信する、携帯端末の画像表示方法である。【選択図】  図１
2007080033.tif 000002
【特許請求の範囲】
【請求項１】
第１の携帯端末と、一以上の第２の携帯端末との間で情報の送受信を行うことで、各携帯端末で画像表示を行う携帯端末の画像表示方法であって、
前記第１の携帯端末と前記第２の携帯端末と情報の送受信が可能な管理サーバは、
前記管理サーバのサーバ記憶装置に記憶した画像情報を選択し、
前記選択した画像情報を二以上の領域に分割して、各領域を識別する領域識別情報を各領域に割り当て、
前記分割した画像情報のうち、各携帯端末で最初に表示可能とする領域を割り当て、
前記第１の携帯端末と前記第２の携帯端末とに、前記分割した画像情報と前記領域識別情報と最初に表示可能として各々に割り当てた領域の情報とを送信し、
前記第１の携帯端末及び前記第２の携帯端末は、
前記管理サーバから受信した、前記分割した画像情報と領域識別情報と割り当てられた領域の情報とに基づいて、前記分割した画像情報のうち前記割り当てられた領域の画像情報を表示し、それ以外の領域は隠蔽状態として表示し、
前記第１の携帯端末は、
前記管理サーバによって前記第２の携帯端末に最初に割り当てられた領域の情報を前記第２の携帯端末から受信することで、前記受信した領域の画像情報も更に表示し、
前記管理サーバによって前記第１の携帯端末に最初に割り当てられた領域の情報を前記第２の携帯端末に送信する、
ことを特徴とする携帯端末の画像表示方法。
【請求項２】
前記管理サーバは、
前記選択した画像情報を分割する際に、前記第１の携帯端末と前記第２の携帯端末の合計数と同じ領域数に分割する、
ことを特徴とする請求項１に記載の携帯端末の画像表示方法。
【請求項３】
第１の携帯端末と、一以上の第２の携帯端末との間で情報の送受信を行うことで、各携帯端末で画像表示を行う携帯端末の画像表示システムであって、
前記第１の携帯端末と前記第２の携帯端末と情報の送受信が可能な管理サーバは、
前記管理サーバのサーバ記憶装置に記憶した画像情報を選択する画像選択手段と、
前記選択した画像情報を二以上の領域に分割する領域分割手段と、
各領域を識別する領域識別情報を各領域に割り当てる領域識別情報割当手段と、
前記分割した画像情報のうち、各携帯端末で最初に表示可能とする領域を割り当てる利用者割当手段と、
前記第１の携帯端末と前記第２の携帯端末とに、前記分割した画像情報と前記領域識別情報と最初に表示可能として各々に割り当てた領域の情報とを送信する画像送信手段と、を有しており、
前記第１の携帯端末及び前記第２の携帯端末は、
前記分割した画像情報と前記領域識別情報と最初に表示可能として割り当てた領域の情報とを前記管理サーバから受信する画像情報受信手段と、
前記受信した情報を携帯記憶装置に記憶させる画像情報記憶手段と、
前記携帯記憶装置に記憶した画像情報と前記領域識別情報と前記割り当てられた領域の情報とに基づいて、前記分割した画像情報のうち、前記割り当てられた領域の画像情報を表示し、それ以外の領域は隠蔽状態として表示する画像表示制御手段と、
前記管理サーバによって相手方に最初に割り当てられた領域の情報を相手方の携帯端末から受信し、前記管理サーバによって自らに最初に割り当てられた領域の情報を相手方の携帯端末に送信する表示制御情報通信手段と、を有しており、
前記第１の携帯端末の画像表示制御手段は、
前記第２の携帯端末に最初に割り当てられた領域の情報を前記第２の携帯端末から受信することで、前記受信した領域の画像情報を更に表示する、
ことを特徴とする携帯端末の画像表示システム。
【請求項４】
前記管理サーバは、
前記選択した画像情報を分割する際に、前記第１の携帯端末と前記第２の携帯端末の合計数と同じ領域数に分割する、
ことを特徴とする請求項３に記載の携帯端末の画像表示システム。
【請求項５】
第１の携帯端末と、一以上の第２の携帯端末との間で情報の送受信を行うことで、各携帯端末で画像表示を行う携帯端末の画像表示システムで用いる管理サーバであって、
前記管理サーバは、
前記第１の携帯端末と前記第２の携帯端末と情報の送受信が可能な管理サーバは、
前記管理サーバのサーバ記憶装置に記憶した画像情報を選択する画像選択手段と、
前記選択した画像情報を二以上の領域に分割する領域分割手段と、
各領域を識別する領域識別情報を各領域に割り当てる領域識別情報割当手段と、
前記分割した画像情報のうち、各携帯端末で最初に表示可能とする領域を割り当てる利用者割当手段と、
前記第１の携帯端末と前記第２の携帯端末とに、前記分割した画像情報と前記領域識別情報と最初に表示可能として各々に割り当てた領域の情報とを送信する画像送信手段と、
を有することを特徴とする携帯端末の画像表示システムで用いる管理サーバ。
【請求項６】
一以上の第２の携帯端末との間で情報の送受信を行うことで、各携帯端末で画像表示を行う携帯端末の画像表示システムで用いる第１の携帯端末であって、
前記第１の携帯端末は、
前記携帯端末で表示する、複数の領域に分割された画像情報と、前記各領域を識別する領域識別情報と、各携帯端末で最初に表示可能とする領域の情報とを管理サーバから受信する画像情報受信手段と、
前記受信した情報を携帯記憶装置に記憶させる画像情報記憶手段と、
前記携帯記憶装置に記憶した画像情報と前記領域識別情報と前記割り当てられた領域の情報とに基づいて、前記分割した画像情報のうち、前記割り当てられた領域の画像情報を表示し、それ以外の領域は隠蔽状態として表示する画像表示制御手段と、
前記管理サーバによって相手方に最初に割り当てられた領域の情報を相手方の携帯端末から受信し、前記管理サーバによって自らに最初に割り当てられた領域の情報を相手方の携帯端末に送信する表示制御情報通信手段と、を有しており、
前記第１の携帯端末の画像表示制御手段は、
前記第２の携帯端末から最初に割り当てられた領域の情報を受信することで、前記受信した領域の画像情報を更に表示する、
ことを特徴とする携帯端末の画像表示システムで用いる第１の携帯端末。
【発明の詳細な説明】
【技術分野】
【０００１】
本発明は、複数の携帯端末を利用する際に、各携帯端末には画像の一部分ずつを最初に表示させ、各携帯端末間で所定の操作を行うことにより、自らの携帯端末の画面において隠蔽されている部分について表示される、携帯端末の画像表示方法及び携帯端末の画像表示システムに関する。
【背景技術】
【０００２】
ある画像について、一つの携帯端末で表示を行うのではなく、その画像を分割し、その分割した画像を各携帯端末に送信して各携帯端末で表示し、その携帯端末を並べることで全体の一つの画像を閲覧できるアプリケーションシステムが、下記特許文献１に開示されている。
【０００３】
【特許文献１】特開２００３−５９４７号公報
【発明の開示】
【発明が解決しようとする課題】
【０００４】
このようなアプリケーションシステムによって、各携帯端末を利用する利用者との間でコミュニケーションを図ったり、宝探しのゲームにおける地図などとして用いたりすることが出来る。
【０００５】
しかしこのようなアプリケーションシステムでは、各携帯端末を所定の方法で並べる必要がある。つまり各携帯端末を利用する利用者全員がその場に集合し、携帯端末を並べないと全体の一つの画像を閲覧することが出来ない。その為、付近にいる者同士の間でしかこのようなアプリケーションシステムを用いることが出来ない。
【０００６】
一方で携帯端末の特性は、遠隔地にいる利用者とも情報通信やコミュニケーションが行える点にある。従って上述のような従来技術は、携帯端末の特性を何ら活用していない。そして上述のようなアプリケーションシステムであっても、遠隔地にいる利用者とも何らかの方法によりコミュニケーション等を図れることが期待されている。
【課題を解決するための手段】
【０００７】
そこで本発明者は、上述の点に基づいて、遠隔地にいる利用者とも情報通信やコミュニケーションを図れるアプリケーションシステムである、携帯端末の画像表示方法及び携帯端末の画像表示システムを発明した。
【０００８】
請求項１の発明は、第１の携帯端末と、一以上の第２の携帯端末との間で情報の送受信を行うことで、各携帯端末で画像表示を行う携帯端末の画像表示方法であって、前記第１の携帯端末と前記第２の携帯端末と情報の送受信が可能な管理サーバは、前記管理サーバのサーバ記憶装置に記憶した画像情報を選択し、前記選択した画像情報を二以上の領域に分割して、各領域を識別する領域識別情報を各領域に割り当て、前記分割した画像情報のうち、各携帯端末で最初に表示可能とする領域を割り当て、前記第１の携帯端末と前記第２の携帯端末とに、前記分割した画像情報と前記領域識別情報と最初に表示可能として各々に割り当てた領域の情報とを送信し、前記第１の携帯端末及び前記第２の携帯端末は、前記管理サーバから受信した、前記分割した画像情報と領域識別情報と割り当てられた領域の情報とに基づいて、前記分割した画像情報のうち前記割り当てられた領域の画像情報を表示し、それ以外の領域は隠蔽状態として表示し、前記第１の携帯端末は、前記管理サーバによって前記第２の携帯端末に最初に割り当てられた領域の情報を前記第２の携帯端末から受信することで、前記受信した領域の画像情報も更に表示し、前記管理サーバによって前記第１の携帯端末に最初に割り当てられた領域の情報を前記第２の携帯端末に送信する、携帯端末の画像表示方法である。
【０００９】
本発明によって、利用者が例え遠隔地にいたとしても、各携帯端末で画像表示に関するアプリケーションシステムを用いることが出来る。これによって、利用者同士で画像に関して会話したり、画像を用いて宝探しなどのゲームを行うなど、利用者同士のコミュニケーションを図ることが出来る。
【００１０】
請求項２の発明において、前記管理サーバは、前記選択した画像情報を分割する際に、前記第１の携帯端末と前記第２の携帯端末の合計数と同じ領域数に分割する、携帯端末の画像表示方法である。
【００１１】
画像情報を分割する領域数は携帯端末のどのような数であっても良いが、利用者数と同数であると良い。
【００１２】
請求項３の発明は、第１の携帯端末と、一以上の第２の携帯端末との間で情報の送受信を行うことで、各携帯端末で画像表示を行う携帯端末の画像表示システムであって、前記第１の携帯端末と前記第２の携帯端末と情報の送受信が可能な管理サーバは、前記管理サーバのサーバ記憶装置に記憶した画像情報を選択する画像選択手段と、前記選択した画像情報を二以上の領域に分割する領域分割手段と、各領域を識別する領域識別情報を各領域に割り当てる領域識別情報割当手段と、前記分割した画像情報のうち、各携帯端末で最初に表示可能とする領域を割り当てる利用者割当手段と、前記第１の携帯端末と前記第２の携帯端末とに、前記分割した画像情報と前記領域識別情報と最初に表示可能として各々に割り当てた領域の情報とを送信する画像送信手段と、を有しており、前記第１の携帯端末及び前記第２の携帯端末は、前記分割した画像情報と前記領域識別情報と最初に表示可能として割り当てた領域の情報とを前記管理サーバから受信する画像情報受信手段と、前記受信した情報を携帯記憶装置に記憶させる画像情報記憶手段と、前記携帯記憶装置に記憶した画像情報と前記領域識別情報と前記割り当てられた領域の情報とに基づいて、前記分割した画像情報のうち、前記割り当てられた領域の画像情報を表示し、それ以外の領域は隠蔽状態として表示する画像表示制御手段と、前記管理サーバによって相手方に最初に割り当てられた領域の情報を相手方の携帯端末から受信し、前記管理サーバによって自らに最初に割り当てられた領域の情報を相手方の携帯端末に送信する表示制御情報通信手段と、を有しており、前記第１の携帯端末の画像表示制御手段は、前記第２の携帯端末に最初に割り当てられた領域の情報を前記第２の携帯端末から受信することで、前記受信した領域の画像情報を更に表示する、携帯端末の画像表示システムである。
【００１３】
本発明によって請求項１に記載の方法をシステム化することが出来る。
【００１４】
請求項４の発明において、前記管理サーバは、前記選択した画像情報を分割する際に、前記第１の携帯端末と前記第２の携帯端末の合計数と同じ領域数に分割する、携帯端末の画像表示システムである。
【００１５】
本発明も上述と同様に、分割する領域数と利用者数とが同数であると良い。
【００１６】
請求項５の発明は、第１の携帯端末と、一以上の第２の携帯端末との間で情報の送受信を行うことで、各携帯端末で画像表示を行う携帯端末の画像表示システムで用いる管理サーバであって、前記管理サーバは、前記第１の携帯端末と前記第２の携帯端末と情報の送受信が可能な管理サーバは、前記管理サーバのサーバ記憶装置に記憶した画像情報を選択する画像選択手段と、前記選択した画像情報を二以上の領域に分割する領域分割手段と、各領域を識別する領域識別情報を各領域に割り当てる領域識別情報割当手段と、前記分割した画像情報のうち、各携帯端末で最初に表示可能とする領域を割り当てる利用者割当手段と、前記第１の携帯端末と前記第２の携帯端末とに、前記分割した画像情報と前記領域識別情報と最初に表示可能として各々に割り当てた領域の情報とを送信する画像送信手段と、を有する携帯端末の画像表示システムで用いる管理サーバである。
【００１７】
請求項６の発明は、一以上の第２の携帯端末との間で情報の送受信を行うことで、各携帯端末で画像表示を行う携帯端末の画像表示システムで用いる第１の携帯端末であって、前記第１の携帯端末は、前記携帯端末で表示する、複数の領域に分割された画像情報と、前記各領域を識別する領域識別情報と、各携帯端末で最初に表示可能とする領域の情報とを管理サーバから受信する画像情報受信手段と、前記受信した情報を携帯記憶装置に記憶させる画像情報記憶手段と、前記携帯記憶装置に記憶した画像情報と前記領域識別情報と前記割り当てられた領域の情報とに基づいて、前記分割した画像情報のうち、前記割り当てられた領域の画像情報を表示し、それ以外の領域は隠蔽状態として表示する画像表示制御手段と、前記管理サーバによって相手方に最初に割り当てられた領域の情報を相手方の携帯端末から受信し、前記管理サーバによって自らに最初に割り当てられた領域の情報を相手方の携帯端末に送信する表示制御情報通信手段と、を有しており、前記第１の携帯端末の画像表示制御手段は、前記第２の携帯端末から最初に割り当てられた領域の情報を受信することで、前記受信した領域の画像情報を更に表示する、携帯端末の画像表示システムで用いる第１の携帯端末である。
【００１８】
これらの発明によって、携帯端末の画像表示システムにおける管理サーバや第１の携帯端末を実現することが出来る。そしてこの管理サーバから送信された画像や、携帯端末で表示された画像を用いることによって、利用者同士で画像に関して会話したり、画像を用いて宝探しなどのゲームを行うなど、利用者同士のコミュニケーションを図ることが出来る。
【発明の効果】
【００１９】
本発明によって、完成された画像は一つの携帯端末で表示することが出来るので、画像に関して、利用者同士で会話したり、画像を用いたゲームを行うなどが行え、利用者同士のコミュニケーションを図ることが出来る。また画像自体は各携帯端末で表示されるので、従来技術のように利用者同士が近くにいる必要性もなく、遠隔地にいる利用者ともコミュニケーションを図れるアプリケーションシステムを実現することが出来る。
【発明を実施するための最良の形態】
【００２０】
本発明の携帯端末の画像表示システム１のシステム構成の一例を図１に、携帯端末の画像表示システム１で用いる携帯端末３のシステム構成の一例を図２に、管理サーバ２及び携帯端末３のハードウェア構成図を図３に示す。図３（ａ）は管理サーバ２の、図３（ｂ）は携帯端末３のハードウェア構成図である。
【００２１】
管理サーバ２は、管理サーバ２における各手段（プログラムやモジュールなど）の演算処理をＣＰＵなどで実行するサーバ演算装置２１と、ＲＡＭやハードディスクなどにより情報を記憶するサーバ記憶装置２２とを少なくとも有している。また、当該管理サーバ２の利用者がキーボードやマウスなどによって情報の入力を行うサーバ入力装置２０と、サーバ演算装置２１における処理結果を表示するサーバ表示装置２４とを有していても良い。
【００２２】
管理サーバ２で実行されるプログラムやモジュールはサーバ記憶装置２２に記憶されており、それが所定の方法によりサーバ演算装置２１に読み込まれる。そしてサーバ演算装置２１によりそのプログラムやモジュールが演算処理され、その結果がサーバ記憶装置２２に記憶されたり、サーバ通信装置２３から携帯端末３に送信されたり、サーバ表示装置２４で表示されたりする。
【００２３】
携帯端末３は、当該携帯端末３の利用者がテンキーやファンクションキーなどによって情報の入力を行う携帯入力装置２５と、携帯端末３における各手段（プログラムやモジュールなど）の演算処理をＣＰＵなどで実行する携帯演算装置２６と、ＲＡＭなどにより情報を記憶する携帯記憶装置２７と、本発明における管理サーバ２や他の携帯端末３との間で情報の送受信を行う携帯通信装置２８と、演算装置における処理結果を表示する携帯表示装置２９とを有している。尚、携帯通信装置２８における情報の送受信は、管理サーバ２との間で行う場合にはインターネットなどによって行われ、他の携帯端末３との間で行う場合にはインターネット或いはブルートゥースや赤外線通信などによって行われる。これらの携帯通信装置２８は情報の送受信を行う複数の装置から構成されていても良い。
【００２４】
管理サーバ２は、画像選択手段４と画像識別情報割当手段５と領域分割手段６と領域識別情報割当手段７と利用者割当手段８と画像送信手段９とを有している。
【００２５】
画像選択手段４は、管理サーバ２のサーバ管理装置に記憶している複数の画像情報のうち、携帯端末３に送信する画像を選択し、それを抽出する手段である。例えば画像情報が１０あった場合に、そのうちの一つの画像情報を選択して抽出する。
【００２６】
画像識別情報割当手段５は、画像選択手段４で選択・抽出した画像情報に対して、その画像情報を識別する画像識別情報を割り当てる手段である。例えばその画像情報に画像識別情報「１」を割り当てたりする。尚、画像選択手段４が抽出した画像情報に、もともとファイル名などが付されている場合にはそれを画像識別情報として用いることも出来る。その場合には画像識別情報割当手段５は設けなくても良い。
【００２７】
領域分割手段６は、画像選択手段４が選択・抽出した画像情報を、複数の任意の領域に分割する手段である。例えば画像選択手段４が選択・抽出した画像情報が図５（ａ）に示すような場合、それを領域分割手段６が図５（ｂ）に示すように３つの領域（Ａ領域、Ｂ領域、Ｃ領域）に分割する。分割する領域数は任意に設定することが出来るが、通常は、後述するように、分割された画像情報を送信する携帯端末３の数と同数とすると良いが、異なっていても良い。
【００２８】
領域識別情報割当手段７は、領域分割手段６が分割した各領域について、それらの領域を識別する領域識別情報を割り当てる手段である。例えば画像情報「１」の領域「Ａ」に対しては領域識別情報として「１Ａ」を、画像情報「１」の領域「Ｂ」に対しては領域識別情報として「１Ｂ」を、画像情報「１」の領域「Ｃ」に対しては領域識別情報として「１Ｃ」を割り当てる。
【００２９】
利用者割当手段８は、領域識別情報割当手段７で割り当てた領域について、各利用者一人につき、少なくとも一つの領域を割り当てる手段である。例えば利用者Ａ、利用者Ｂ、利用者Ｃの３人の利用者がおり、領域分割手段６が画像情報を３つの領域に分割していた場合、利用者Ａには領域Ａ（領域識別情報「１Ａ」）を、利用者Ｂには領域Ｂ（領域識別情報「１（領域識別情報「１Ｂ」）を、利用者Ｃには領域Ｃ（領域識別情報「１Ｃ」）を割り当てる。各領域の割当には、領域毎にフラグを立てると良い。例えば利用者Ａに送信される画像情報「１」において、利用者Ａに割り当てた領域Ａ（領域識別情報「１Ａ」）には「Ｘ」のフラグが、それ以外の領域Ｂ及びＣ（領域識別情報「１Ｂ」、「１Ｃ」）には「Ｙ」のフラグが与えられる。また利用者Ｂに送信される画像情報「１」において、利用者Ｂに割り当てた領域Ｂ（領域識別情報「１Ｂ」）には「Ｘ」のフラグが、それ以外の領域Ａ及びＣ（領域識別情報「１Ａ」、「１Ｃ」）には「Ｙ」のフラグが与えられる。更に利用者Ｃに送信される画像情報「１」において、利用者Ｃに割り当てた領域Ｃ（領域識別情報「１Ｃ」）には「Ｘ」のフラグが、それ以外の領域Ａ及びＢ（領域識別情報「１Ａ」、「１Ｂ」）には「Ｙ」のフラグが与えられる。尚、ここでフラグ「Ｘ」は当該領域の画像情報が表示されることを示し、フラグ「Ｙ」は当該領域の画像情報が表示されないことを示す。このように割り当てられた領域のみが最初に当該利用者の携帯端末３に送信された画像情報において表示される領域となる。このフラグを示す概念図を図６に示す。
【００３０】
画像送信手段９は、領域分割手段６が分割した画像情報と、その全ての領域識別情報と利用者毎に割り当てた各領域のフラグの情報とを、各利用者の携帯端末３に、サーバ通信装置２３を介して送信する手段である。つまり、図５（ｂ）に示すような、各領域に分割された画像情報と、その領域毎の領域識別情報と、送信する先の携帯端末３の利用者に割り当てられたフラグの情報とを送信することとなる。従って、例えば利用者Ａの携帯端末３Ａには、各領域に分割された図５（ｂ）の画像情報と、その各領域を識別する領域識別情報「１Ａ」、「１Ｂ」、「１Ｃ」と、利用者Ａに割り当てられたフラグ（領域識別情報「１Ａ」については「Ｘ」、領域識別情報「１Ｂ」については「Ｙ」、領域識別情報「１Ｃ」については「Ｙ」）が送信される。また利用者Ｂの携帯端末３Ｂには、各領域に分割された図５（ｂ）の画像情報と、その各領域を識別する領域識別情報「１Ａ」、「１Ｂ」、「１Ｃ」と、利用者Ｂに割り当てられたフラグ（領域識別情報「１Ｂ」については「Ｘ」、領域識別情報「１Ａ」については「Ｙ」、領域識別情報「１Ｃ」については「Ｙ」）が送信される。更に利用者Ｃの携帯端末３Ｃには、各領域に分割された図５（ｂ）の画像情報と、その各領域を識別する領域識別情報「１Ａ」、「１Ｂ」、「１Ｃ」と、利用者Ｃに割り当てられたフラグ（領域識別情報「１Ｃ」については「Ｘ」、領域識別情報「１Ａ」については「Ｙ」、領域識別情報「１Ｂ」については「Ｙ」）が送信される。
【００３１】
各利用者の携帯端末３は、画像情報受信手段１０と画像情報記憶手段１１と画像情報制御手段と表示制御情報通信手段１３とを有している。
【００３２】
画像情報受信手段１０は、管理サーバ２からインターネットなどによって送信された画像情報、領域識別情報、フラグの情報を携帯通信装置２８を介して受信する手段である。
【００３３】
画像情報記憶手段１１は、画像情報受信手段１０で受信した画像情報、領域識別情報、フラグの情報を携帯端末３の携帯記憶装置２７に記憶させる手段である。
【００３４】
画像表示制御手段１２は、携帯記憶装置２７に記憶する画像情報、領域識別情報、フラグの情報に基づいて、当該画像情報の表示制御を行い、携帯表示装置２９でその表示を行う手段である。利用者Ａの携帯端末３Ａの場合、携帯端末３Ａの携帯記憶装置２７に記憶されているのは、画像情報受信手段１０で受信して画像情報記憶手段１１で携帯記憶装置２７に記憶させた、例えば図５（ｂ）の画像情報、領域識別情報「１Ａ」、「１Ｂ」、「１Ｃ」、利用者Ａに最初に割り当てられたフラグ（領域識別情報「１Ａ」については「Ｘ」、領域識別情報「１Ｂ」については「Ｙ」、領域識別情報「１Ｃ」については「Ｙ」）である。携帯端末３Ａの画像表示制御手段１２は、このフラグに基づいて、画像情報のうち、領域Ａのみを本来の画像で表示し、領域Ｂ及び領域Ｃについては隠蔽した画像を携帯端末３Ａの携帯表示装置２９で表示する。従って図７（ａ）の網掛けで示した領域の画像のみが携帯表示装置２９で表示される。同様に、利用者Ｂの携帯端末３Ｂの携帯表示装置２９では、携帯端末３Ｂの画像表示制御手段１２は、図７（ｂ）の網掛けで示した領域の画像のみが携帯表示装置２９で表示され、利用者Ｃの携帯端末３Ｃの携帯表示装置２９では、携帯端末３Ｃの画像表示制御手段１２は、図７（ｃ）の網掛けで示した領域の画像のみが携帯表示装置２９で表示される。
【００３５】
尚、実際には網掛けが表示されるのではなく、画像情報のうち、網掛けに相当する部分の画像のみが表示される。尚、画像が表示されない領域については、黒や白、その他、画像が表示されないことを示す状態（隠蔽状態）で表示制御を行えばよい。
【００３６】
表示制御情報通信手段１３は、利用者同士が各自の携帯端末３を介して所定の操作を行うことにより、管理サーバ２から最初に受信したフラグのうち、「Ｘ」を含むフラグの情報を相手方の携帯端末３に携帯通信装置２８を介して送信し、また相手方の携帯端末３から相手方の携帯端末３が管理サーバ２から最初に受信したフラグのうち、「Ｘ」を含むフラグの情報を携帯通信装置２８を介して受信する手段である。ここで受信したフラグの情報は、画像情報記憶手段１１に渡され、画像情報記憶手段１１はそのフラグの情報を携帯記憶装置２７のフラグの情報を変更する。そして画像表示制御手段１２はそのフラグの情報に基づいて、画像の表示制御を行う。つまり相手方から受信したフラグの情報における「Ｘ」が与えられた領域が携帯表示装置２９を介して更に表示される。
【００３７】
このように表示制御情報通信手段１３が各携帯端末３の携帯通信装置２８を介して、または直接会話するなどしてコミュニケーションを取ることによって、携帯端末３の入力装置から所定の操作をすると、それを表示制御情報通信手段１３が受け付け、以上のようなフラグの情報を相互に送受信する。これによって、相手方の携帯端末３との間で表示する画像の領域の情報を、いわば交換することが出来る。
【００３８】
次に本発明の携帯端末の画像表示システム１の処理プロセスの一例を図４のフローチャート、図１及び図２のシステム構成図を用いて説明する。尚、本実施例では説明の簡略化のため、利用者が３人（利用者Ａ、利用者Ｂ、利用者Ｃ）であって、領域分割手段６が分割する領域数も３である場合を説明するが、より多くの利用者、分割領域であっても良い。
【００３９】
携帯端末の画像表示システム１を利用することを希望する利用者は各自の携帯端末３から所定の操作をすることによって、管理サーバ２にアクセスし自らの携帯端末３（好適には電子メールアドレスであるが、携帯端末３を一意に識別する情報であれば何であっても良い）を登録する。
【００４０】
管理サーバ２の画像選択手段４は、所定のタイミングでサーバ管理装置に記憶している複数の画像情報のうちから各携帯端末３に送信する画像情報を選択して抽出する。この抽出した画像情報に対して、画像識別情報割当手段５は、画像識別情報、例えば「１」を割り当てる（Ｓ１００）。
【００４１】
画像選択手段４が選択・抽出した画像情報を、領域分割手段６が複数の領域に分割する（Ｓ１１０）。ここでは３つの領域に分割する。図５（ａ）が分割前の画像情報、図５（ｂ）が３分割後の画像情報である。
【００４２】
領域分割手段６が分割した各領域について、領域識別情報割当手段７は領域識別情報を割り当てる（Ｓ１２０）。ここでは画像情報「１」の領域「Ａ」に対しては領域識別情報「１Ａ」を、画像情報「１」の領域「Ｂ」に対しては領域識別情報として「１Ｂ」を、画像情報「１」の領域「Ｃ」に対しては領域識別情報として「１Ｃ」を割り当てる。
【００４３】
領域識別情報割当手段７が割り当てた各領域について、各利用者一人につき、少なくとも一つの領域を、利用者割当手段８が割り当てる（Ｓ１３０）。ここでは利用者が３人、領域が３なので、各利用者一人に一つの領域を割り当てる。利用者Ａには領域Ａを、利用者Ｂには領域Ｂを、利用者Ｃには領域Ｃを割り当てたとする。従って、利用者Ａの領域に対するフラグの情報は、領域識別情報「１Ａ」には「Ｘ」のフラグが、領域識別情報「１Ｂ」、「１Ｃ」には「Ｙ」のフラグが与えられる。また利用者Ｂの領域に対するフラグの情報は、領域識別情報「１Ｂ」には「Ｘ」のフラグが、領域識別情報「１Ａ」、「１Ｃ」には「Ｙ」のフラグが与えられ、更に利用者Ｃの領域に対するフラグの情報は、領域識別情報「１Ｃ」には「Ｘ」のフラグが、領域識別情報「１Ａ」、「１Ｂ」には「Ｙ」のフラグが与えられる。このフラグを示す概念図を図６に示す。
【００４４】
画像送信手段９は、領域分割手段６が分割した画像情報と、その全ての領域識別情報と利用者毎に割り当てた各領域のフラグの情報とを、各利用者の携帯端末３毎に、サーバ通信装置２３を介して送信する（Ｓ１４０）。
【００４５】
従って、利用者Ａの携帯端末３Ａには、各領域に分割された図５（ｂ）の画像情報と、その各領域を識別する領域識別情報「１Ａ」、「１Ｂ」、「１Ｃ」と、利用者Ａに割り当てられたフラグ（領域識別情報「１Ａ」については「Ｘ」、領域識別情報「１Ｂ」については「Ｙ」、領域識別情報「１Ｃ」については「Ｙ」）が送信される。また利用者Ｂの携帯端末３Ｂには、各領域に分割された図５（ｂ）の画像情報と、その各領域を識別する領域識別情報「１Ａ」、「１Ｂ」、「１Ｃ」と、利用者Ｂに割り当てられたフラグ（領域識別情報「１Ｂ」については「Ｘ」、領域識別情報「１Ａ」については「Ｙ」、領域識別情報「１Ｃ」については「Ｙ」）が送信される。更に利用者Ｃの携帯端末３Ｃには、各領域に分割された図５（ｂ）の画像情報と、その各領域を識別する領域識別情報「１Ａ」、「１Ｂ」、「１Ｃ」と、利用者Ｃに割り当てられたフラグ（領域識別情報「１Ｃ」については「Ｘ」、領域識別情報「１Ａ」については「Ｙ」、領域識別情報「１Ｂ」については「Ｙ」）が送信される。
【００４６】
Ｓ１４０で送信された画像情報等は、各利用者の携帯端末３の携帯通信装置２８を介して、画像情報受信手段１０が受信する（Ｓ１５０）。受信した画像情報等は、画像情報記憶手段１１が携帯記憶装置２７に記憶させる。
【００４７】
画像表示制御手段１２は、携帯記憶装置２７に記憶した画像情報、領域識別情報、フラグの情報に基づいて、携帯表示装置２９でその表示を行う（Ｓ１６０）。利用者Ａの携帯端末３Ａの場合、携帯端末３Ａの携帯記憶装置２７に記憶されているのは、画像情報受信手段１０で受信して画像情報記憶手段１１で携帯記憶装置２７に記憶させた、例えば図５（ｂ）の画像情報、領域識別情報「１Ａ」、「１Ｂ」、「１Ｃ」、利用者Ａに最初に割り当てられたフラグ（領域識別情報「１Ａ」については「Ｘ」、領域識別情報「１Ｂ」については「Ｙ」、領域識別情報「１Ｃ」については「Ｙ」）である。携帯端末３Ａの画像表示制御手段１２は、このフラグに基づいて、画像情報のうち、領域Ａの画像情報のみを表示し、領域Ｂ及び領域Ｃについては隠蔽した画像を携帯端末３Ａの携帯表示装置２９で表示する。従って図７（ａ）の網掛けで示した領域の画像のみが携帯表示装置２９で表示される。同様に、利用者Ｂの携帯端末３Ｂの携帯表示装置２９では、携帯端末３Ｂの画像表示制御手段１２は、図７（ｂ）の網掛けで示した領域の画像のみが携帯表示装置２９で表示され、利用者Ｃの携帯端末３Ｃの携帯表示装置２９では、携帯端末３Ｃの画像表示制御手段１２は、図７（ｃ）の網掛けで示した領域の画像のみが携帯表示装置２９で表示される。
【００４８】
各利用者は、利用者同士の間で、直接会話などで、或いは携帯端末３を介してコミュニケーションを取り、各自の携帯端末３の携帯入力装置２５から所定の操作を行うことによって、その入力を表示制御情報通信手段１３が受け付ける。それによって、管理サーバ２から最初に受信したフラグのうち、「Ｘ」を含むフラグの情報を相手方の携帯端末３に携帯通信装置２８を介して送信し、また相手方の携帯端末３から相手方の携帯端末３が管理サーバ２から最初に受信したフラグのうち、「Ｘ」を含むフラグの情報を携帯通信装置２８を介して受信する（Ｓ１７０）。即ち、相手の利用者との間でフラグの情報の交換を行うこととなる。
【００４９】
そして交換されたフラグの情報に基づいて、各携帯端末３の表示制御情報通信手段１３は、受信したフラグの領域の画像を表示する（Ｓ１８０）。
【００５０】
例えば利用者Ａと利用者Ｂとが各自の携帯端末３を介してコミュニケーションを行う場合、最初は利用者Ａの携帯端末３Ａでは領域Ａの画像のみが表示され、領域Ｂ及び領域Ｃの画像は隠蔽状態にある。また利用者Ｂの携帯端末３Ｂでは領域Ｂの画像のみが表示され、領域Ａ及び領域Ｃの画像は隠蔽状態にある。ここで利用者Ａが携帯端末３Ａで、利用者Ｂが携帯端末３Ｂで所定の操作を行うことによって、携帯端末３Ａの表示制御情報通信手段１３は、携帯通信装置２８を介して携帯端末３Ａにおける最初のフラグの情報が携帯端末３Ａから携帯端末３Ｂに各携帯通信装置２８を介して送信する。つまり、領域Ａ（領域識別情報「１Ａ」）のフラグの情報「Ｘ」が携帯端末３Ｂに送信される。これは携帯端末３Ｂの表示制御情報通信手段１３で携帯通信装置２８を介して受信する。
【００５１】
携帯端末３Ｂの表示制御情報通信手段１３で携帯通信装置２８を介して、携帯端末３Ａの最初のフラグの情報（領域識別情報「１Ａ」のフラグ「Ｘ」）を受信すると、表示制御情報通信手段１３はそのフラグの情報を画像情報記憶手段１１に渡し、画像情報記憶手段１１は、携帯端末３Ｂの携帯記憶装置２７でそのフラグの情報を変更する。この時点において携帯端末３Ｂの携帯記憶装置２７に記憶されているフラグの情報は、領域識別情報「１Ａ」については「Ｘ」、領域識別情報「１Ｂ」については「Ｘ」、領域識別情報「１Ｃ」については「Ｙ」となる。この変更によって、画像表示制御手段１２は、フラグが「Ｘ」になった領域識別情報「１Ａ」の示す領域Ａを更に表示可能とし、携帯端末３Ｂの携帯表示装置２９では、領域Ａ及び領域Ｂの画像が表示され、領域Ｃのみが隠蔽状態となる。
【００５２】
一方、携帯端末３Ｂの表示制御情報通信手段１３は、携帯通信装置２８を介して携帯端末３Ｂの最初のフラグの情報が携帯端末３Ｂから携帯端末３Ａに各携帯通信装置２８を介して送信する。つまり、領域Ｂ（領域識別情報「１Ｂ」）のフラグの情報「Ｘ」が携帯端末３Ａに送信される。これは携帯端末３Ａの表示制御情報通信手段１３で携帯通信装置２８を介して受信する。携帯端末３Ａの表示制御情報通信手段１３で携帯通信装置２８を介して、携帯端末３Ｂの最初のフラグの情報（領域識別情報「１Ｂ」のフラグ「Ｘ」）を受信すると、表示制御情報通信手段１３はそのフラグの情報を画像情報記憶手段１１に渡し、画像情報記憶手段１１は、携帯端末３Ａの携帯記憶装置２７でそのフラグの情報を変更する。この時点において携帯端末３Ａの携帯記憶装置２７に記憶されているフラグの情報は、領域識別情報「１Ａ」については「Ｘ」、領域識別情報「１Ｂ」については「Ｘ」、領域識別情報「１Ｃ」については「Ｙ」となる。この変更によって、画像表示制御手段１２は、フラグが「Ｘ」になった領域識別情報「１Ｂ」の示す領域Ｂを更に表示可能とし、携帯端末３Ａの携帯表示装置２９では、領域Ａ及び領域Ｂの画像が表示され、領域Ｃのみが隠蔽状態となる。この状態を模式的に示したのが、図８である。図８（ａ）は、図７（ａ）の状態だった利用者Ａが利用者Ｂとフラグの交換を行った結果の画面であり、図８（ｂ）は図７（ｂ）の状態だった利用者Ｂが利用者Ａとフラグの交換を行った結果の画面である。図８（ｃ）は、利用者Ｃの画面であるが、利用者Ｃはまだフラグの交換を行っていないので、図７（ｃ）と同じ画面が表示される。
【００５３】
このような処理を繰り返すことによって（Ｓ１９０）、例えば利用者Ａは利用者Ｃと交換していないので、利用者Ａと利用者Ｃとの間でフラグの情報の交換を行い、また利用者Ｂは利用者Ｃと交換していないので、利用者Ｂと利用者Ｃとの間でフラグの情報の交換を行う。このように各利用者同士がフラグの情報を交換することで、最終的に各携帯端末３で隠蔽状態のない画像が表示され、閲覧することが出来る。
【００５４】
上述と同様の処理で、利用者Ａと利用者Ｃとの間でフラグの情報を交換した場合、利用者Ａの携帯端末３Ａでは領域Ｃにおける画像情報が更に表示される。また利用者Ｃの携帯端末３Ｃでは領域Ａにおける画像情報が更に表示される。図９（ａ）は、図８（ａ）の状態だった利用者Ａが利用者Ｃとフラグの交換を行った結果の画面であり、図９（ｃ）は図８（ｃ）の状態だった利用者Ｃが利用者Ａとフラグの交換を行った結果の画面である。図９（ｂ）は、利用者Ｂの画面であるが、利用者Ｂはまだ利用者Ｃとフラグの交換を行っていないので、図８（ｂ）と同じ画面が表示される。
【００５５】
そして次に上述と同様の処理で、利用者Ｂと利用者Ｃとの間でフラグの情報を交換した場合、利用者Ｂの携帯端末３Ｂでは領域Ｃにおける画像情報が更に表示される。また利用者Ｃの携帯端末３Ｃでは領域Ｂにおける画像情報が更に表示される。
図１０（ｂ）は、図９（ｂ）の状態だった利用者Ｂが利用者Ｃとフラグの交換を行った結果の画面であり、図１０（ｃ）は図９（ｃ）の状態だった利用者Ｃが利用者Ｂとフラグの交換を行った結果の画面である。図１０（ａ）は、利用者Ａの画面であるが、利用者Ａは既に画像情報における全ての領域が表示されているので、図９（ａ）と同じ画面が表示される。
【００５６】
このように各利用者同士でフラグの情報を交換することで、各利用者の携帯端末３で画像情報を表示することが出来る。フラグの情報の交換の際には、必然的に相手方とコミュニケーションを取ることにもなるので、娯楽性の高いコミュニケーションツールとして本発明を用いることも出来る。また従来技術と異なり、表示される画像情報は一つの携帯端末３で表示することが出来るので、遠隔地にいる利用者との間でもコミュニケーションを図ることが出来る。
【００５７】
尚、上述の実施例では、画像選択手段４が選択する画像は各利用者で共通の場合を説明したが異なっていても良い。異なっていても各利用者の携帯端末３間では、フラグの情報を交換しているだけなので、異なる画像を各携帯端末３で表示することが出来る。但しこの場合には、領域分割手段６で分割される領域数は各利用者の間で同じである必要がある。また領域識別情報については共通或いは対応関係を持ったものでなければならない。
【産業上の利用可能性】
【００５８】
本発明によって、完成された画像は一つの携帯端末３で表示することが出来るので、画像に関して、利用者同士で会話したり、画像を用いたゲームを行うなどが行え、利用者同士のコミュニケーションを図ることが出来る。また画像自体は各携帯端末で表示されるので、従来技術のように利用者同士が近くにいる必要性もなく、遠隔地にいる利用者ともコミュニケーションを図れるアプリケーションシステムを実現することが出来る。
【図面の簡単な説明】
【００５９】
【図１】本発明のシステム構成の一例を示すシステム構成図である。
【図２】本発明で用いる携帯端末のシステム構成の一例を示すシステム構成図である。
【図３】本発明の管理サーバ、携帯端末のハードウェア構成図である。
【図４】本発明の処理プロセスの一例を示すフローチャートである。
【図５】領域の分割前の画像情報と、分割後の画像情報とを示す図である。
【図６】フラグの情報を示す概念図である。
【図７】各携帯端末で表示される初期状態の画像情報の一例である。
【図８】利用者Ａと利用者Ｂでフラグの情報の交換を行った後に表示される画像情報の一例である。
【図９】利用者Ａと利用者Ｃでフラグの情報の交換を行った後に表示される画像情報の一例である。
【図１０】利用者Ｂと利用者Ｃでフラグの情報の交換を行った後に表示される画像情報の一例である。
【符号の説明】
【００６０】
１：携帯端末の画像表示システム
２：管理サーバ
３：携帯端末
４：画像選択手段
５：画像識別情報割当手段
６：領域分割手段
７：領域識別情報割当手段
８：利用者割当手段
９：画像送信手段
１０：画像情報受信手段
１１：画像情報記憶手段
１２：画像表示制御手段
１３：表示制御情報通信手段
２０：サーバ入力装置
２１：サーバ演算装置
２２：サーバ記憶装置
２３：サーバ通信装置
２４：サーバ表示装置
２５：携帯入力装置
２６：携帯演算装置
２７：携帯記憶装置
２８：携帯通信装置
２９：携帯表示装置
【図１】
2007080033.tif 000003
【図２】
2007080033.tif 000004
【図３】
2007080033.tif 000005
【図４】
2007080033.tif 000006
【図５】
2007080033.tif 000007
【図６】
2007080033.tif 000008
【図７】
2007080033.tif 000009
【図８】
2007080033.tif 000010
【図９】
2007080033.tif 000011
【図１０】
2007080033.tif 000012